(57)【要約】【課題】覗き見されているかどうかを認識することができるようにする。【解決手段】デュエルビュー液晶ディスプレイからなる液晶表示装置７の背面側に、第２視野角方向９８を撮影する左側カメラ１１Ｌと、第３視野角方向９９を撮影する右側カメラ１１Ｒとを設ける。左側カメラ１１Ｌが撮影した第２視野角方向９８の映像と、右側カメラ１１Ｒが撮影した第３視野角方向９９の映像とは、液晶表示装置７が第１視野角方向９７に位置する利用者１００に表示する操作画像４４の一部として表示される。【選択図】図４
2007226306.tif 000002
【特許請求の範囲】
【請求項１】
第１視野角方向への第１画像の表示と、前記第１視野角方向とは異なる第２視野角方向への第２画像の表示とを透明表示可能に同時に行うとともに、前記第２画像が透明表示にされた場合に前記第２視野角方向からの光を背面側に透過させる表示手段と、
前記表示手段の背面側に設けられ、前記第２視野角方向を撮影するように配置された撮影手段と、
前記撮影手段により撮影を行う際に、前記第２画像を透明表示にして前記表示手段に表示させるとともに、前記撮影手段が撮影した前記第２視野角方向の映像を前記第１画像の全部又は一部として前記表示手段に表示させる表示制御手段と、
を有することを特徴とする表示装置。
【請求項２】
前記第１視野角方向は表示装置の正面方向を含むことを特徴とする請求項１に記載の表示装置。
【請求項３】
請求項１又は２に記載の表示装置を備えたことを特徴とする現金自動支払機。
【発明の詳細な説明】
【技術分野】
【０００１】
本発明は、背後の状況を把握する必要がある装置等に用いられる表示装置およびその表示装置を備えた現金自動支払機に関する。
【背景技術】
【０００２】
現在、現金自動預金支払機（ＡＴＭ（Automatic Teller Machine））や現金自動支払機(ＣＤ（Cash Dispenser）)などからお金を引き出す際に、予め定められた暗証番号を入力することにより、本人の特定が行われている。しかしながら、暗証番号を入力する際、隣または背後などから覗き見されやすい。このため、他人の暗証番号を不正に取得して、不正に他人に預金が引き出されてしまうなどの被害が生じている。
【０００３】
特許文献１には、ＡＴＭ等に設けられる表示装置であって、視野角を３０°以下に狭めることにより、表示画面の秘匿性を確保することが可能な表示装置が開示されている。
【０００４】
【特許文献１】特開２００５−２３４０９６号公報
【発明の開示】
【発明が解決しようとする課題】
【０００５】
しかしながら、特許文献１の表示装置は、覗き見され難くするだけであり、覗き見されているかどうかを認識することができるわけではない。
【０００６】
本発明の目的は、覗き見されているかどうかを認識することが可能な表示装置及びこの表示装置を備えた現金自動支払機を提供することである。
【課題を解決するための手段及び効果】
【０００７】
本発明の表示装置は、第１視野角方向への第１画像の表示と、前記第１視野角方向とは異なる第２視野角方向への第２画像の表示とを透明表示可能に同時に行うとともに、前記第２画像が透明表示にされた場合に前記第２視野角方向からの光を背面側に透過させる表示手段と、前記表示手段の背面側に設けられ、前記第２視野角方向を撮影するように配置された撮影手段と、前記撮影手段により撮影を行う際に、前記第２画像を透明表示にして前記表示手段に表示させるとともに、前記撮影手段が撮影した前記第２視野角方向の映像を前記第１画像の全部又は一部として前記表示手段に表示させる表示制御手段と、を有することを特徴とする。
【０００８】
上記の構成によれば、撮影手段により撮影を行う際に、第２画像を透明表示にして表示手段に表示させるとともに、撮影手段が撮影した第２視野角方向の映像を第１画像の全部又は一部として表示手段に表示させるから、第１視野角方向に位置する者は、第１視野角方向から第１画像を視認し、撮影手段が撮影した第２視野角方向の映像を見ることによって、第２視野角方向を確認することができる。これにより、その者は第２視野角方向から覗き見されているかどうかを認識することができる。
【０００９】
また、本発明の表示装置において、前記第１視野角方向は表示装置の正面方向を含んでいてよい。上記の構成によれば、第１視野角方向は表示装置の正面方向を含むから、正面方向に位置する者は、正面方向から第１画像を視認し、撮影手段が撮影した第２視野角方向の映像を見ることによって、その者にとって隣または背後となる第２視野角方向を確認することができる。
【００１０】
本発明の現金自動支払機は、上記の表示装置を備えたことを特徴とする。
【００１１】
上記の構成によれば、覗き見されているかどうかを認識することが可能な表示装置を備えているから、現金自動支払機の利用者は覗き見されているかどうかを確認しながら暗証番号等を入力することにより、暗証番号等を他人に不正に取得されるのを防止することができる。
【発明を実施するための最良の形態】
【００１２】
本発明の実施の形態を図１ないし図７に基づいて以下に説明する。
【００１３】
（ＡＴＭ１の機械的構成）
図１は、現金自動預金支払機１（以下、ＡＴＭ（Automatic Teller Machine）１という）の外観を示す斜視図である。なお、ＡＴＭ１は、現金自動支払機（ＣＤ（Cash Dispenser））に入金（預金）機能が付加されたものである。ＡＴＭ１の全体を形成しているキャビネット２の正面には、垂直面を有する前面部２ａと、水平面を有する台座部２ｂとが設けられている。前面部２ａの略中央には、通帳挿入口３及びカード挿入口４が設けられている。通帳挿入口３の上方にはスピーカ５が設けられているとともに、カード挿入口４の上方には監視窓６が設けられている。台座部２ｂには、タッチパネル８を備えた表示手段としての液晶表示装置７と、現金入出口９とが設けられている。
【００１４】
通帳挿入口３の開口サイズは、通帳５３（図６参照）を通過可能な高さ及び幅に設定されている。そして、通帳挿入口３は、キャビネット２の内部に設けられた図６の通帳吸入排出機構１３に連絡されている。通帳吸入排出機構１３は、通帳５３をキャビネット２の内部から排出して所定位置で停止及び保持する機能と、ＡＴＭ１の利用者（以下、単に利用者という）が通帳５３を通帳挿入口３に差し込んだときに、この通帳５３をキャビネット２の内部に引き込む機能とを有している。
【００１５】
カード挿入口４の開口サイズは、カード５４（図６参照）を通過可能な高さ及び幅に設定されている。そして、カード挿入口４は、キャビネット２の内部に設けられた図６のカード吸入排出機構１４に連絡されている。カード吸入排出機構１４は、カード５４をキャビネット２の内部から排出して所定位置で停止及び保持する機能と、利用者がカード５４をカード挿入口４に差し込んだときに、このカード５４をキャビネット２の内部に引き込む機能とを有している。
【００１６】
スピーカ５は、図示しないセンサが利用者を検知すると、「いらっしゃいませ」等の音声を出力するとともに、後述のタッチパネル８の操作に応じて、「カードを入れてください」、「暗証番号を入力してください」等の音声を出力する。
【００１７】
監視窓６は色付ガラスで覆われており、キャビネット２の内部に設けられた図示しない監視カメラ１６が、監視窓６の色付ガラスを介してＡＴＭ１の利用者を撮影するようになっている。
【００１８】
現金入出口９は、通常、シャッタにより閉じられており、利用者による現金投入時及び利用者への現金支払時に開口される。そして、現金入出口９は、キャビネット２の内部に設けられた図６の現金投入支払機構１９に連絡されている。現金投入支払機構１９は、利用者が指定した額の現金（紙幣及び硬貨）を現金入出口９に排出する機能と、利用者が現金入出口９に投入した現金（紙幣及び硬貨）の額を算出して、キャビネット２の内部に収納する機能とを有している。
【００１９】
液晶表示装置７は、３つの異なる画像を同時に表示することが可能な所謂デュエルビュー液晶ディスプレイで構成されている。即ち、図２に示すように、液晶表示装置７は、正面方向を含む第１視野角方向への第１画像としての選択画像４１の表示と、左斜め方向である第２視野角方向への第２画像としての広告画像４２の表示と、右斜め方向である第３視野角方向への第３画像としての広告画像４３の表示とを同時に行う。選択画像４１は、「入金」、「出金」、「振込み」、「通帳記入」等のメニューを表示している。広告画像４２及び広告画像４３は、ＡＴＭ１のサービス内容やスポンサーの広告内容を表示するものであってよい。これら広告画像４２，４３は、静止画と動画のどちらであってもよいし、選択画像４１であってもよいし、風景写真や地模様等からなるスクリーンセーバであってもよい。また、広告画像４２と広告画像４３とは同じ表示内容であってもよい。本実施の形態においては、広告画像４２と広告画像４３とは表示内容が同じであり、白地に「ＡＢＣ」の文字が表示されているものである。
【００２０】
図３を用いて、デュエルビュー液晶ディスプレイの原理について簡単に説明する。図３は液晶表示装置７の構造を模式的に示した平面図である。
【００２１】
図３に示すように、液晶表示装置７は、バックライト９０と、ピクセル化画像表示層９１と、視差バリア９２から構成されている。バックライト９０は、ピクセル化画像表示層９１を背後から照らす光源であり、冷陰極蛍光ランプと導光板とを組み合わせることによって構成される。また、ピクセル化画像表示層９１は、図示しない基板の間に配置された液晶層であり、多数の画素が行及び列状に配置される。本実施の形態では、ＡＴＭ１の操作に関わる選択画像４１等が画素列９３に表示され、広告画像４２等が画素列９５に、広告画像４３等が画素列９４に、それぞれ表示される。そして、画素列９４、画素列９３及び画素列９５をこの順に繰り返し配置することにより、本実施の形態に係るピクセル化画像表示層９１が構成される。
【００２２】
視差バリア９２は、不透明領域によって隔たれた垂直な透光性スリット９６を複数有するスクリーンである（図３では複数ある内の一つの透光性スリット９６のみを示すこととする）。そして、ピクセル化画像表示層９１の画素列９３を透過したバックライト９０からの光が複数の透光性スリット９６を介してＡＴＭ１の正面方向を含む第１視野角方向９７に位置する者Ａに到達し、その者Ａは液晶表示装置７に表示された選択画像４１等を視認することが可能となる。一方、画素列９５を透過したバックライト９０からの光が複数の透光性スリット９６を介して第２視野角方向９８に位置する者Ｂに到達し、その者Ｂは液晶表示装置７に表示された広告画像４２等を視認することが可能となる。また、画素列９４を透過したバックライト９０からの光が複数の透光性スリット９６を介して第３視野角方向９９に位置する者Ｃに到達し、その者Ｃは液晶表示装置７に表示された広告画像４３等を視認することが可能となる。
【００２３】
以上により、本実施の形態に係るＡＴＭ１では、第１視野角方向９７から視認することができる選択画像４１等と、第２視野角方向９８から視認することができる広告画像４２等と、第３視野角方向９９から視認することができる広告画像４３等と、を同時表示することが可能となる。
【００２４】
また、液晶表示装置７は、第２視野角方向９８から視認することができる広告画像４２と、第３視野角方向９９から視認することができる広告画像４３とを、透明表示することが可能である。ここで、透明表示とは、第２視野角方向９８又は第３視野角方向９９からの光が液晶表示装置７の背面側に透過する表示形態を意味する。具体的には、白地に「ＡＢＣ」の文字が表示された広告画像４２，４３が透明表示されると、地色が透明な背景に透明な「ＡＢＣ」の文字が表示されたものとなる（図５参照）。液晶表示装置７が広告画像４２を透明表示させると、第２視野角方向９８からの光が液晶表示装置７の背面側に透過する。また、液晶表示装置７が広告画像４３を透明表示させると、第３視野角方向９９からの光が液晶表示装置７の背面側に透過する。
【００２５】
また、図４に示すように、キャビネット２の内部であって、液晶表示装置７の背面側には、第２視野角方向９８を撮影するように配置された撮影手段としての左側カメラ１１Ｌと、第３視野角方向９９を撮影するように配置された撮影手段としての右側カメラ１１Ｒとが設けられている。なお、正面方向を含む第１視野角方向９７には、利用者１００が位置している。
【００２６】
ここで、図２に示すように、第２視野角方向９８に表示された広告画像４２が白地に「ＡＢＣ」の文字が表示されているものであれば、広告画像４２がシャッターの役目を果たして、第２視野角方向９８からの光が液晶表示装置７の背面側に透過しないため、左側カメラ１１Ｌは液晶表示装置７を透過して第２視野角方向９８を撮影することができない。また、第３視野角方向９９に表示された広告画像４３が白地に「ＡＢＣ」の文字が表示されているものであれば、広告画像４３がシャッターの役目を果たして、第３視野角方向９９からの光が液晶表示装置７の背面側に透過しないため、右側カメラ１１Ｒは液晶表示装置７を透過して第３視野角方向９９を撮影することができない。
【００２７】
そこで、左側カメラ１１Ｌ及び右側カメラ１１Ｒにより撮影を行う際には、図５に示すように、液晶表示装置７は、広告画像４２を透明表示にした透明広告画像４２’を左斜め方向である第２視野角方向９８に表示し、広告画像４３を透明表示にした透明広告画像４３’を右斜め方向である第３視野角方向９９に表示する。透明広告画像４２’及び透明広告画像４３’は、地色が透明な背景に透明な「ＡＢＣ」の文字が表示されたものである。透明広告画像４２’が第２視野角方向９８に表示されることにより、第２視野角方向９８からの光が液晶表示装置７の背面側に透過するため、液晶表示装置７の背面側に設けられた左側カメラ１１Ｌは第２視野角方向９８を撮影することが可能になる。また、透明広告画像４３’が第３視野角方向９９に表示されることにより、第３視野角方向９９からの光が液晶表示装置７の背面側に透過するため、液晶表示装置７の背面側に設けられた右側カメラ１１Ｒは第３視野角方向９９を撮影することが可能になる。
【００２８】
また、図５において、液晶表示装置７は、ＡＴＭ１の操作に関わる操作画像４４を、正面方向を含む第１視野角方向９７に表示している。操作画像４４は暗証番号等の入力を行う画面である。本実施の形態においては、このような個人情報を扱う画面において、左側カメラ１１Ｌ及び右側カメラ１１Ｒにより撮影が行われる。
【００２９】
また、操作画像４４には、左側カメラ１１Ｌが撮影した第２視野角方向９８の映像を表示する分割画面４６Ｌと、右側カメラ１１Ｒが撮影した第３視野角方向９９の映像を表示する分割画面４６Ｒとが含まれている。第１視野角方向９７に含まれる正面方向に位置する利用者１００（図４参照）は、正面方向から操作画像４４を視認し、分割画面４６Ｌに表示された、左側カメラ１１Ｌが撮影した第２視野角方向９８の映像を見ることによって、利用者１００にとって左隣または左側背後となる第２視野角方向９８を確認することができるとともに、分割画面４６Ｒに表示された、右側カメラ１１Ｒが撮影した第３視野角方向９９の映像を見ることによって、利用者１００にとって右隣または右側背後となる第３視野角方向９９を確認することができる。これにより、利用者１００は、利用者１００にとって隣または背後となる第２視野角方向９８及び第３視野角方向９９から覗き見されているかどうかを認識することができる。よって、利用者１００は覗き見されているかどうかを確認しながら暗証番号等を入力することにより、暗証番号等を他人に不正に取得されるのを防止することができる。
【００３０】
（ＡＴＭ１の電気的構成）
次に、図６を用いて、ＡＴＭ１の電気的構成について説明する。
【００３１】
制御部１５は、メモリ１２のＲＡＭをワーキングメモリとして使用しながら、メモリ１２のＲＯＭに記憶された後述する表示切替処理ルーチン等のプログラムに従って装置各部を制御するＣＰＵを備える。
【００３２】
監視カメラ制御部２６は、図示しないセンサが利用者を検知すると、監視カメラ１６を制御して、利用者を撮影させる。
【００３３】
カメラ制御部２１は、液晶表示装置７が第１視野角方向９７に操作画像４４を表示している間、左側カメラ１１Ｌ及び右側カメラ１１Ｒを制御して、第２視野角方向９８及び第３視野角方向９９を撮影させる。
【００３４】
入力部２８は、タッチパネル８から出力された押圧位置を示す押圧信号を制御部１５内に取りこみ、メモリ１２のＲＡＭに格納させる。
【００３５】
表示制御部２７は、制御部１５から入力されるコマンドに従って、液晶表示装置７を制御する。即ち、「入金」、「出金」、「振込み」、「通帳記入」等のメニューを表示する選択画像４１を第１視野角方向９７に表示させる際には、広告画像４２を第２視野角方向９８に、広告画像４３を第３視野角方向９９に、それぞれ表示させるとともに、暗証番号等の入力が行われる操作画像４４を第１視野角方向９７に表示させる際には、広告画像４２を透明表示にした透明広告画像４２’を第２視野角方向９８に、広告画像４３を透明表示にした透明広告画像４３’を第３視野角方向９９に、それぞれ表示させる。
【００３６】
通帳吸入排出駆動部２３は、上述の通帳吸入排出機構１３に接続されており、通帳吸入排出機構１３に対して所定の動作を実行させるように電力を供給するようになっている。
【００３７】
カード吸入排出駆動部２４は、上述のカード吸入排出機構１４に接続されており、カード吸入排出機構１４に対して所定の動作を実行させるように電力を供給するようになっている。
【００３８】
現金投入支払駆動部２９は、上述の現金投入支払機構１９に接続されており、現金投入支払機構１９に対して所定の動作を実行させるように電力を供給するようになっている。
【００３９】
データ入力部２２は、通帳５３及びカード５４が有するＩＤ情報や暗証番号等の情報を制御部１５内に取りこみ、メモリ１２のＲＡＭに格納させる。
【００４０】
記帳部３０は、通帳挿入口３に挿入された通帳５３に対して記帳を行う。
【００４１】
通信部２５は、通信ネットワーク１７を介してセンターサーバ１８と双方向通信を行い、制御部１５に対して種々の情報の入出力を行う。
【００４２】
スピーカ５は、制御部１５により制御され、「いらっしゃいませ」等の音声を出力する。
【００４３】
（ＡＴＭ１の動作）
上記の構成において、図７に示す表示切替処理ルーチンを参照して、ＡＴＭ１の制御部１５の制御動作について説明する。
【００４４】
ＡＴＭ１は、制御部１５において図示しないメインルーチン等を実行することにより、「入金」、「出金」、「振込み」、「通帳記入」等の各種メニューを実施したり、実施可能な状態になる。図７に示す表示切替処理ルーチンは、液晶表示装置７の制御に関する。
【００４５】
（表示切替処理ルーチン）
制御部１５により表示切替処理ルーチンが実行されると、図７に示すように、液晶表示装置７において、選択画像４１が第１視野角方向９７に表示されるとともに（Ｓ１）、広告画像４２が第２視野角方向９８に、広告画像４３が第３視野角方向９９に、それぞれ表示される（Ｓ２）。その後、「出金」が選択されたか否かが判定され（Ｓ３）、「出金」が選択されなければ（Ｓ３，ＮＯ）、Ｓ１から再実行される。一方、「出金」が選択されると（Ｓ３，ＹＥＳ）、暗証番号等の入力が行われる操作画像４４が第１視野角方向９７に表示されるとともに（Ｓ４）、第２視野角方向９８に表示されていた広告画像４２が透明表示にされて、透明広告画像４２’が第２視野角方向９８に表示されるとともに、第３視野角方向９９に表示されていた広告画像４３が透明表示にされて、透明広告画像４３’が第３視野角方向９９に表示される（Ｓ５）。
【００４６】
そして、左側カメラ１１Ｌ及び右側カメラ１１Ｒが駆動され（Ｓ６）、左側カメラ１１Ｌが撮影した第２視野角方向９８の映像が操作画像４４の分割画面４６Ｌに、右側カメラ１１Ｒが撮影した第３視野角方向９９の映像が操作画像４４の分割画面４６Ｒに、それぞれ表示される（Ｓ７）。第１視野角方向９７に含まれる正面方向に位置する利用者１００（図４参照）は、正面方向から操作画像４４を視認し、分割画面４６Ｌに表示された、左側カメラ１１Ｌが撮影した第２視野角方向９８の映像を見ることによって、利用者１００にとって左隣または左側背後となる第２視野角方向９８を確認することができるとともに、分割画面４６Ｒに表示された、右側カメラ１１Ｒが撮影した第３視野角方向９９の映像を見ることによって、利用者１００にとって右隣または右側背後となる第３視野角方向９９を確認することができる。これにより、利用者１００は、利用者１００にとって隣または背後となる第２視野角方向９８及び第３視野角方向９９から覗き見されているかどうかを認識することができる。よって、利用者１００は覗き見されているかどうかを確認しながら暗証番号等を入力することにより、暗証番号等を他人に不正に取得されるのを防止することができる。
【００４７】
その後、「出金」処理が終了したか否かが判定され（Ｓ８）、「出金」処理が終了していなければ（Ｓ８，ＮＯ）、Ｓ４から再実行されて、左側カメラ１１Ｌ及び右側カメラ１１Ｒによる撮影が継続される。一方、「出金」処理が終了すれば（Ｓ８，ＹＥＳ）、Ｓ１から再実行される。
【００４８】
（本実施の形態の概要）
以上のように、本実施の形態の表示装置は、第１視野角方向９７への第１画像（操作画像４４等）の表示と、第１視野角方向９７とは異なる第２視野角方向（第２視野角方向９８、第３視野角方向９９等）への第２画像（広告画像４２，４３等）の表示とを透明表示可能に同時に行うとともに、第２画像が透明表示にされた場合に第２視野角方向からの光を背面側に透過させる表示手段（液晶表示装置７等）と、表示手段の背面側に設けられ、第２視野角方向を撮影するように配置された撮影手段（左側カメラ１１Ｌ、右側カメラ１１Ｒ等）と、撮影手段により撮影を行う際に、第２画像を透明表示にして表示手段に表示させるとともに、撮影手段が撮影した第２視野角方向の映像を第１画像の全部又は一部として表示手段に表示させる表示制御手段（制御部１５、表示制御部２７、図７の表示切替処理ルーチン等）と、を有する構成にされている。
【００４９】
上記の構成によれば、撮影手段により撮影を行う際に、第２画像を透明表示にして表示手段に表示させるとともに、撮影手段が撮影した第２視野角方向の映像を第１画像の全部又は一部として表示手段に表示させるから、第１視野角方向９７に位置する者は、第１視野角方向９７から第１画像を視認し、撮影手段が撮影した第２視野角方向の映像を見ることによって、第２視野角方向を確認することができる。これにより、その者は第２視野角方向から覗き見されているかどうかを認識することができる。
【００５０】
また、本発明の表示装置において、第１視野角方向９７は表示装置の正面方向を含む構成にされている。上記の構成によれば、第１視野角方向９７は表示装置の正面方向を含むから、正面方向に位置する者（利用者１００等）は、正面方向から第１画像を視認し、撮影手段が撮影した第２視野角方向の映像を見ることによって、その者にとって隣または背後となる第２視野角方向を確認することができる。
【００５１】
また、本実施の形態の現金自動支払機（ＡＴＭ１等）は、上記の表示装置を備えた構成にされている。
【００５２】
上記の構成によれば、覗き見されているかどうかを認識することが可能な表示装置を備えているから、ＡＴＭ１の利用者１００は覗き見されているかどうかを確認しながら暗証番号等を入力することにより、暗証番号等を他人に不正に取得されるのを防止することができる。
【００５３】
尚、本実施の形態においては、水平面を有する台座部２ｂに液晶表示装置７が設けられた構成としたが、この構成に限定されるものではなく、垂直面を有する前面部２ａに液晶表示装置７が設けられた構成であってもよい。この場合においても、液晶表示装置７の背面側に設けられた左側カメラ１１Ｌが撮影した第２視野角方向９８の映像と、同じく液晶表示装置７の背面側に設けられた右側カメラ１１Ｒが撮影した第３視野角方向９９の映像とを、液晶表示装置７が第１視野角方向９７に表示した画像の全部又は一部として見ることによって、利用者１００は、利用者１００にとって隣または背後となる第２視野角方向９８及び第３視野角方向９９から覗き見されているかどうかを認識することができる。
【００５４】
以上、本発明の実施例を説明したが、具体例を例示したに過ぎず、特に本発明を限定するものではなく、具体的構成などは、適宜設計変更可能である。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００５５】
【図１】本実施の形態に係るＡＴＭの斜視図。
【図２】液晶表示装置の表示例を示す図。
【図３】液晶表示装置の構造を模式的に示した平面図。
【図４】左側カメラ及び右側カメラの撮影状態を示す図。
【図５】液晶表示装置の表示例を示す図。
【図６】電気回路の構成を示すブロック図。
【図７】表示切替処理ルーチンのフローチャートを示す図。
【符号の説明】
【００５６】
１  ＡＴＭ
７  液晶表示装置
１１Ｌ  左側カメラ
１１Ｒ  右側カメラ
１５  制御部
２７  表示制御部
４２  広告画像
４３  広告画像
４４  操作画像
９７  第１視野角方向
９８  第２視野角方向
９９  第３視野角方向
【図１】
2007226306.tif 000003
【図２】
2007226306.tif 000004
【図３】
2007226306.tif 000005
【図４】
2007226306.tif 000006
【図５】
2007226306.tif 000007
【図６】
2007226306.tif 000008
【図７】
2007226306.tif 000009